【事件の表示】
　平成１０年特許願第２２０５６３号「ウイルス不活化システム」拒絶査定不服審判事件〔平成１２年　２月１５日出願公開、特開２０００−　４１６６７〕について、次のとおり審決する。
【結　論】
　本件審判の請求は、成り立たない。
【理　由】
第１　手続の経緯
　本願は，平成１０年８月４日の出願であって，平成２０年３月１９日付けの拒絶理由通知に対して，同年５月７日に意見書及び手続補正書が提出され，その後，同７月１５日付けで拒絶査定がなされ，これに対し，同年８月２０日に拒絶査定に対する不服審判の請求がなされるとともに，同年８月２８日付けで手続補正がなされたが，当審合議体において，この手続補正を平成２３年５月１８日付けの補正却下の決定によって補正却下するとともに，同日付で拒絶理由通知書を通知したところ，指定された応答期間内である同年７月１日に手続補正書と意見書が提出されたものである。
　
第２　本願発明
　本願請求項１乃至３に係る発明は，平成２３年７月１日付け手続補正書により補正された明細書（以下，「本願明細書」という。）及び図面の記載からみて，特許請求の範囲の請求項１乃至３に記載されたとおりのものと認められる。そして，その請求項１に係る発明は，次のとおりである。（以下，「本願発明」という。）
「血液もしくは血液製剤からなる被処理液体中のウイルスを不活化するウイルス不活化システムであって
　採血手段と，
　返血手段と，
　前記光触媒が表面に保持された材料を備え，前記採血手段と前記返血手段の間に配置された血液処理装置と，
　前記光触媒に光を照射する光照射装置とを有し，
　前記返血手段は，前記採血手段が前記採血針を備える場合には，返血針と，一端が前記返血針に接続され，他端が前記血液処理装置に接続された返血管とを備え，前記採血手段が前記第１の貯留容器を備える場合には，第２の貯留容器と，一端が前記第２の貯留容器
に接続され，他端が前記血液処理装置に接続された返血管とを備え，
　前記被処理液体を前記採血手段から前記血液処理装置に送り，前記被処理液体を光触媒が表面に保持された材料に接触させた状態で，前記光照射装置によって，前記光触媒に光を照射した後に，前記被処理液体のみを前記返血手段に送るように構成されていることを特徴とするウイルス不活化システム。」
　
　ここで，本願発明の「前記光触媒が表面に保持された材料を備え」とする特定事項について，「前記光触媒」の「前記」に相当する特定事項が存在しないため，「光触媒」とすべきところを「前記光触媒」とした明らかな誤記であると認められる。　
　
第３　当審の拒絶理由の概要
　当審において平成２３年５月１８日付けで通知した拒絶の理由の概要は，本願発明は，本願出願前に頒布された頒布された刊行物である特開平６−２８５１６４号公報（以下，「刊行物１」という。）及び特開平９−２９９９３７号公報（以下，「刊行物２」という。）に記載された発明に基づいて当業者が容易に発明をすることができたものであるから，特許法第２９条第２項の規定により特許を受けることができない，というものである。
　
第４　刊行物記載の事項
１　刊行物１記載の事項
（刊１−１）「【請求項１】一端が，種々の波長の光を出し得る光源及び受光素子に連なる分光分析用光ファイバーを，検査用注射針の管壁中に通して注射針の先端に露出させ，試薬等を輸送するための流体輸送ポンプに連なるチューブを検査用注射針の管空上端につないで成る，自動血液成分分析装置を設け，該装置の測定データにより制御を受ける，血管につないだ血液輸送管を経て，血液を体外循環させる血液流路に，加熱と冷却，凍結と加熱，加圧，減圧，電磁波・超音波・衝撃波・レーザーパルス光等の照射，水と高張液の添加，高張液と水の添加，過酸化水素・酸・アルカリ・その他の薬剤の添加と，その中和剤との添加等，生体内の血液には加えがたい強力な物理的刺激や物理化学的刺激，薬剤刺激等を加え，無害化した後，体内にもどす動作を連続的に行なう治療箱を設けて成る血液の治療装置とより成る，血液の検査治療装置。」
　
（刊１−２）「【０００４】
【課題を解決するための手段】Ｂ型肝炎ウイルスのように，熱や消毒剤に対して非常に強い抵抗を示す物もあるが，ＨＩＶ等，比較的弱い物もある。熱や普通の消毒剤に対する抵抗性の強いＢ型肝炎ウイルスでも，アルデヒド系や塩素系の消毒剤，紫外線等で殺滅または不活性化する事もできる。従って，弱いウイルスでは熱，紫外線，消毒剤等で比較的容易に不活性化する事ができる。
【０００５】ただし，人体全体を加熱したり，消毒薬を注射したりすれば，人体は死亡するし，紫外線も皮膚のごく表面にしか到達させる事はできない。そこで，本発明では，人体から管を通じて，血管中の血液を取り出し，体外循環させつつ，加熱，紫外線照射，消毒剤の添加等（物理的消毒，化学的消毒［物理的刺激，化学的刺激］）を行なって病原体を不活性化する。その際，加熱に対しては冷却を，消毒剤の添加に対してはその中和剤を加える等し，正常な血液にもどし，血管へ帰す。」
　
（刊１−３）「【０００７】
【実施例】図１は本発明を実施した血液の検査治療装置の平面図。図２はその正面図である。１は体内の血液や組織の化学分析用検査プローブ。２はその下端の注射針。３，４はその上端から出た細い光ファイバーを多数束ねた光ファイバー束。５は流体輸送用チューブ。６はコンピューターを内蔵した制御ボックス。７はその上に突出し，光ファイバー束３の端を固定している支柱。８は上端から光ファイバー束３の端に向かう光を出す白熱ランプ。９は内蔵するパルスモーターにより左右に可動な可動台。１０はその中の別のパルスモーターの軸。１１は紫外線から赤外線の範囲までの光を透し得る透明円盤。１２はそれに取り付けた多数の異なる色のフィルター。１３は光ファイバー束４の端が連なる受光素子。１４はチューブ５に試薬，酸素，その他の流体を送ったり，吸引したりする，流体駆動用ポンプ。１５，１６は血液輸送チューブ。１７，１８は血液駆動ポンプ。１９はサーモスタット付の加熱箱。２０は体外循環血液治療箱。２１は種々の薬液タンクとその切り替え用電磁弁，ポンプ等を内蔵した薬液注入装置。２２は通電装置。２３は紫外線ランプ。２４は中和剤注入装置。２５は冷却箱である。」
　
（刊１−４）「【００１７】・・・注射針２をＡＴＬやＡＴＤＳの患者に刺し（例えば，下股前側，前腕前側等）末梢血液中に現われる嘆独のウイルスや，白血球に含まれるウイルスを１０分間に１回程度の頻度で検出しつつ，血液に対して次のような治療を数時間，あるいは，数日間続ける。
【００１８】人臓病の際，人工透析のように，血液輸送チューブ１５，１６を患者の左右の前腕の血管等につなぎ，（先端に注射針を付け，血管内に刺入する等して）チューブ１５からポンプ１７で吸引した血液をヒーターやマイクロ波照射装置等を内蔵した加熱箱１９に送り，４５〜６０℃程度に加熱する。この加熱により，一部のウイルスは死滅したり，死にはいたらないが，不活性化されたり，ウイルスを含んでいるために弱っている白血球が他の健全な白血球より高い感受性で不活性化され，死滅し，ウイルスを閉じ込めた状態で凝固し，やがて，細胞内や血液中に含まれる消化酵素によって溶解されたり，キラーＴ細胞やマクロファージにより，溶解されたり，貪食されたりして行く。
【００１９】加熱箱１９から出た血液は開口３２を経て治療箱２０に入り，厚さ１mm程度の血液層２９になり，治療箱２０中を流れる。（治療箱２０の底面にもヒーターを入れ，その左右長が延べ数ｍになるようにしてもよい。）加熱箱１９で血液を加熱する場合，正常な血球が多量に死滅したり，血漿中の蛋白質，酵素，ホルモン，その他の物質が変質したりしないようにしなければならず，それほど高温にできないので，他の種々の消毒法や病的（ウイルス感染）白血球の不活性化法を併用する。
【００２０】薬液注入装置２１から血液層２９にオゾン・過酸化水素・塩素・次亜塩素酸・塩酸・苛性ソーダ・その他の消毒剤，全身投与では有害となる高濃度の抗ウイルス薬，その他の薬剤を水溶液やガスの状態で加える。通電装置２２で造られた直流電圧を治療箱２０と電極３０とにかけ，血液層２９に通電すると，陰極側には，ナトリウム・カリウム等のイオンが集まり，陽極側には，塩素ガスや発生期の酸素が生じ，消毒作用を示す。通電装置２２で１０Hz程度の交流を造り，それを加えてもよい。
【００２１】ランプ２３から血液層２９に紫外線が照射され，ウイルスや，ウイルスを含む病的白血球が不活性化される。治療箱２０の底面を透明板で造り，血液層２９の下面からも紫外線を照射したり，０．１mm程度の間隙を隔てた透明板間に血液層２９を流してもよい。治療箱２０を多数積み重ね，最上部の右下端から下の治療箱の右上部に血液が入り，その左下端から出た血液がその下の治療箱の左上端から入るようにする等してもよい。」
（なお，段落【００１７】の「嘆独のウイルス」は，「単独のウイルス」の誤記と認められる。また，段落【００１８】の「人臓病」は「腎臓病」の誤記と認められる。）
　
（刊１−５）「【００２４】・・・
血液層２９の血液は，やがて，開口３３を通り，冷却箱２５で正常体温にまで冷却され，ポンプ１８とチューブ１６を経て，体内にもどされる。」
　
（刊１−６）「【００３２】
【発明の効果】本発明を実施すれば，ＡＴＬ，ＡＩＤＳ等，現在の医療技術では，あまり有効な治療法が無い，主として，血液中にウイルス等の病原体が存在する病気に対し，血液中の病原体や，病原体を保有する血球等を殺滅したり，不活性化したりして，治療効果を上げ得る治療装置が得られ，その治療時等に，治療効果の測定，副作用のキャッチ等が連続的にできる検査装置，更に，その検査装置の注射針部を通じ，通電したり，治療物質を送り込んだりする事により，脳・腎臓・肝臓・筋・その他の組織・蔵器への治療装置にもなり得る検査装置が得られる利点が生ずる。」
　
（刊１−７）【図１】として「本発明を実施した血液の検査治療装置の平面図。」及び【図２】として「その正面図。」が記載されている。　
　
２　刊行物１に記載された発明
　摘示（刊１−４）には「血液輸送チューブ１５，１６を患者の左右の前腕の血管等につなぎ，（先端に注射針を付け，血管内に刺入する等して）チューブ１５からポンプ１７で吸引した血液・・」（段落【００１８】の部分）と記載されているから，血液輸送チューブは，注射針を先端に付けていると解される。
　摘示（刊１−８）には，「治療箱２０の拡大縦断正面図」について記載があり，「３２は加熱箱１９に通ずる開口。３３は冷却箱２５に通ずる開口である。」と記載されているから，治療箱２０には，開口３２及び開口３２が設けられていることが理解される。
　「治療箱」は「ランプ２３から血液層２９に紫外線が照射され，ウイルスや，ウイルスを含む病的白血球が不活性化される。」（段落【００２１】の部分）ものであるから，これらの事項を加味し，上記，血液の検査治療装置を，紫外線に着目して整理すると，刊行物１には，次の発明（以下，「引用発明」という。）が記載されていると認められる。
「先端に注射針を付けた血液輸送チューブ（１５，１６）を患者の左右の前腕の血管につなぎ，採血側血液輸送チューブ（１５）からポンプ（１７）で吸引した血液を加熱箱（１９）に送り，４５〜６０℃程度に加熱し，加熱箱（１９）から出た血液は治療箱（２０）の開口（３２）を経て治療箱（２０）に入り，厚さ１mm程度の血液層（２９）になり，さらにランプ（２３）から血液層（２９）に紫外線が照射され，ウイルスや，ウイルスを含む病的白血球が不活性化され，血液層（２９）の血液は，治療箱（２０）の開口（３３）を通り，冷却箱（２５）で正常体温にまで冷却され，ポンプ（１８）と返血側血液輸送チューブ（１６）を経て，体内にもどされる血液の検査治療装置。」
　
３　刊行物２記載の事項
（刊２−１）「【請求項１】
光導波路（５）の表面に光触媒（１０）を配してあるとともに，光導波路（５）の一端から光を導入するための光源（６）を設けてあり，前記光触媒（１０）を処理対象となる被処理体と接触可能にしてあることを特徴とする被処理体処理装置
　
（刊２−２）「【０００９】ここで，光導波路としては，棒状のもの，平板状のものが例示できる。光触媒としては，酸化チタン，５酸化バナジウム，酸化亜鉛などが例示できる。」
　
（刊２−３）「【００１３】
【発明の実施の形態】以下，添付図面によってこの発明の実施の態様を詳細に説明する。図１はこの発明の被処理体処理装置を組込んだ処理システムを示す概略図である。この処理システムは，
溶液
ブラックライト
【００１４】図２は光導波路５と集光レンズ８との関係を示す概略図であり，
光源６からの光および／または反射板７からの光が集光レンズ８により集光されて光導波路５に導入される
光導波路５の表面には，シリコン系無機バインダーなどからなる透明なバインダー９によって光触媒１０が固定化されている。
【００１５】図３は光導波路５における光の伝播および光触媒の励起を説明する概略図である。光は光導波路５内を全反射しながら伝播するが，その一部はエバネッセント波として光導波路５の外部に沁み出し，バインダー９によって方向が変えられ，光触媒１０に照射されて光触媒１０を励起する。なお，光触媒１０を励起した光は外部に発散する。」
　
（刊２−４）「【００１７】上記の構成の処理システムを採用し，
光源６を点灯させることにより，複数の光導波路５の表面に配された光触媒１０に十分な光を照射して光触媒作用を発揮させ，酸化，還元作用を行わせることができる。この結果，溶液の脱臭，殺菌，ウイルス菌の不活化を達成することができる。
　
（刊２−５）「【０００１】
【発明の属する技術分野】この発明は被処理体処理装置に関し，さらに詳細にいえば，光触媒を用いて被処理体を浄化する被処理体処理装置に関する。」　
　
４　刊行物２記載の発明
　摘示（刊２−２）には「ブラックライトなどからなる光源６」と記載されている。ここで，ブラックライトは，「ブラック‐ライト【black light】(不可視光線の意)波長の長い紫外線を発する蛍光ランプ。鉱石・証明書類の鑑定，捕虫，蛍光物質を利用した装飾などに用いる。」[株式会社岩波書店 広辞苑第六版]との語義からも明らかなように，紫外線を発するものであるから，刊行物２記載の前記「ブラックライトなどからなる光源６」とは，「紫外線を発する光源６」ということができる。
　摘示（刊２−３）に「溶液を収容する」と記載されているから，被処理体は，溶液であることは明らかである。
　摘示（刊２−４）に「光源６を点灯させることにより，複数の光導波路５の表面に配された光触媒１０に十分な光を照射して光触媒作用を発揮させ，酸化，還元作用を行わせることができる。この結果，溶液の脱臭，殺菌，ウイルス菌の不活化を達成することができる。」と記載されており，光源６と複数の光導波路５の表面に配された光触媒１０により，溶液の脱臭，殺菌，ウイルス菌の不活化といった複数の作用があることが理解され，この内，ウイルス菌の不活性化に注目すれば，ウイルス不活性化装置が構成されているということができる。
　以上の事項を考慮した上で，摘示（刊２−１）の特許請求の範囲の記載，及び，摘示（刊２−４）の光触媒の作用の記載からみて，刊行物２には，次の発明（以下，「刊行物２発明」という。）が記載されていると認められる。
「光導波路（５）の表面に光触媒（１０）を配してあるとともに，光導波路（５）の一端から光を導入するための紫外線を発する光源（６）を設けてあり，前記光触媒（１０）を処理対象となる溶液である被処理体と接触可能にしてあり，前記光源６を点灯させることにより，複数の光導波路５の表面に配された光触媒１０に十分な光を照射して光触媒作用を発揮させ，酸化，還元作用を行わせる，ウイルス不活性化装置」
　　
第５　対比
　そこで，本願発明と引用発明を対比する。
１　引用発明は，血液に「紫外線が照射され，ウイルスや，ウイルスを含む病的白血球が不活性化」する「血液の検査治療装置」であるから，その機能からみて，本願発明の「血液もしくは血液製剤からなる被処理液体中のウイルスを不活化するウイルス不活化システム」に相当する。
　
２　引用発明は，「先端に注射針を付けた血液輸送チューブ（１５，１６）を患者の左右の前腕の血管につなぎ，採血側血液輸送チューブ（１５）からポンプ（１７）で吸引し」「返血側血液輸送チューブ（１６）を経て，体内にもどされる」ものであるから，本願発明の「採血手段」と「返血手段」を有することは明白である。
　
３　引用発明の「治療箱」は，「紫外線が照射」される「ランプ」を備えており，血液に含まれる「ウイルスや，ウイルスを含む病的白血球が不活性化」を図るものであり，血液を紫外線で処理するものであるから，本願発明の「血液処理装置」に相当する。
　そして，「採血側血液輸送チューブ（１５）」と「返血側血液輸送チューブ（１６）」の間に，前記「治療箱」が配置されている。
　そうすると，引用発明の「採血側血液輸送チューブ（１５）」と「返血側血液輸送チューブ（１６）」との間に「治療箱」を設けた構成は，本願発明の「前記採血手段と前記返血手段の間に配置された血液処理装置」に相当するということができる。
　
４　引用発明は「血液は治療箱（２０）の開口（３２）を経て治療箱（２０）に入り，厚さ１mm程度の血液層（２９）になり，さらにランプ（２３）から血液層（２９）に紫外線が照射され，ウイルスや，ウイルスを含む病的白血球が不活性化」するものであるから，治療箱内に，ウイルスを不活性化する紫外線照射ランプを備えるものであって，治療箱は，
ウイルス不活性化装置
　他方，本願発明の「光触媒」は，「前記光触媒に光を照射する光照射装置」と組み合わさることにより，本願明細書の段落【００１４】「・・・この装置上の光触媒に光を照射することで混入ウイルス等の感染性を低下させたり，ウイルス以外にエンドトキシン等の血液有害物質を光触媒によって分解除去する事にある。」の記載のような機能，すなわち，ウイルスの感染性低下，すなわち，不活性化やエンドトキシン等の血液有害物質を分解除去する機能を有するものである。
　そうすると，引用発明の「血液は治療箱（２０）の開口（３２）を経て治療箱（２０）に入り，厚さ１mm程度の血液層（２９）になり，さらにランプ（２３）から血液層（２９）に紫外線が照射されランプ（２３）から血液層（２９）に紫外線が照射され」るものと，本願発明の「前記光触媒が表面に保持された材料を備え」「前記光触媒に光を照射する光照射装置とを有」するものとは，「ウイルス不活性化装置を備える」という点で共通する。
　
５　引用発明の「治療箱」へは，「採血側血液輸送チューブ（１５）からポンプ（１７）で吸引した血液」が送られているから，本願発明の「前記被処理液体を前記採血手段から前記血液処理装置に送」ることに相当する構成を具備することは明白である。
　また，引用発明は，「ウイルスや，ウイルスを含む病的白血球が不活性化」する「ランプ（２３）から血液層（２９）に紫外線が照射され」た後，「ポンプ（１８）と返血側血液輸送チューブ（１６）を経て，体内にもどされる」ものであり，上記「第５　４」で検討したように，本願発明の「光触媒が表面に保持された材料に接触させた状態で，前記光照射装置によって，前記光触媒に光を照射」するものではないが，両者はウイルス不活性化装置という点で共通し，また，ウイルス不活性化装置を通過した後に，前記被処理液体のみを前記返血手段に送るように構成されていることを特徴とするウイルス不活化システム」である点で本願発明と共通する。
　そうすると，引用発明の「採血側血液輸送チューブ（１５）からポンプ（１７）で吸引した血液を加熱箱（１９）に送り，４５〜６０℃程度に加熱し，加熱箱（１９）から出た血液は開口（３２）を経て治療箱（２０）に入り，厚さ１mm程度の血液層（２９）になり，さらにランプ（２３）から血液層（２９）に紫外線が照射され，ウイルスや，ウイルスを含む病的白血球が不活性化され，血液層（２９）の血液は，開口（３３）を通り，冷却箱（２５）で正常体温にまで冷却され，ポンプ（１８）と返血側血液輸送チューブ（１６）を経て，体内にもどされる血液の検査治療装置」と，本願発明の「前記被処理液体を前記採血手段から前記血液処理装置に送り，前記被処理液体を光触媒が表面に保持された材料に接触させた状態で，前記光照射装置によって，前記光触媒に光を照射した後に，前記被処理液体のみを前記返血手段に送るように構成されていることを特徴とするウイルス不活化システム」とは，「前記被処理液体を前記採血手段から前記血液処理装置に送り，ウイルス不活性化装置を通過した後に，前記被処理液体のみを前記返血手段に送るように構成されていることを特徴とするウイルス不活化システム」である点で本願発明と共通する。
　
６　一致点及び相違点
　以上のことを総合すると，本願発明と引用発明は次の（一致点）及び（相違点）を有する。
（一致点）
「血液もしくは血液製剤からなる被処理液体中のウイルスを不活化するウイルス不活化システムであって
　採血手段と，
　返血手段と，
　ウイルス不活性化装置を備える，前記採血手段と前記返血手段の間に配置された血液処理装置と，
　前記返血手段は，前記採血手段が前記採血針を備える場合には，返血針と，一端が前記返血針に接続され，他端が前記血液処理装置に接続された返血管とを備え，前記採血手段が前記第１の貯留容器を備える場合には，第２の貯留容器と，一端が前記第２の貯留容器に接続され，他端が前記血液処理装置に接続された返血管とを備え，
　前記被処理液体を前記採血手段から前記血液処理装置に送り，ウイルス不活性化装置を通過した後に，前記被処理液体のみを前記返血手段に送るように構成されていることを特徴とするウイルス不活化システム。」
　
（相違点）
　ウイルス不活性化装置が，本願発明では「前記光触媒が表面に保持された材料を備え」，「前記光触媒に光を照射する光照射装置とを有」するものであり，引用発明では，ウイルスを不活化した被処理液体が，「光触媒が表面に保持された材料に接触させた状態で，前記光照射装置によって，前記光触媒に光を照射」されたものであり，
　前記被処理液体のみを前記返血手段に送るタイミングが，本願発明では「前記被処理液体を光触媒が表面に保持された材料に接触させた状態で，前記光照射装置によって，前記光触媒に光を照射した後」であるのに対して，引用発明では「ウイルスや，ウイルスを含む病的白血球が不活性化」する「ランプ（２３）から血液層（２９）に紫外線が照射され」た後，「ポンプ（１８）と返血側血液輸送チューブ（１６）を経て，体内にもどされる」ものである点。
　
第６　判断
１　本願発明と刊行物２発明の対比
　本願発明と刊行物２発明を上記相違点記載の本願発明の特定事項を中心に対比する。
（１）　刊行物２発明は「光導波路（５）の表面に光触媒（１０）を配してある」ものであり，光導波路（５）を「材料」とすると，本願発明の「光触媒が表面に保持された材料を備え」ているものに相当する。
　
（２）　刊行物２発明は「前記光源６を点灯させることにより，複数の光導波路５の表面に配された光触媒１０に十分な紫外線を照射」するものであるから，本願発明の「前記光触媒に光を照射する光照射装置」に相当する特定事項を具備しているということができる。
　
（３）　刊行物２発明は「前記光触媒（１０）を処理対象となる溶液である被処理体と接触可能にしてあり，前記光源６を点灯させることにより，複数の光導波路５の表面に配された光触媒１０に十分な紫外線を照射」するものであるから，本願発明の「前記被処理液体を光触媒が表面に保持された材料に接触させた状態で，前記光照射装置によって，前記光触媒に光を照射」するものに相当する特定事項を具備しているということができる。
　
（４）　刊行物２発明の「ウイルス不活性化装置」は，被処理体について具体的に特定されていない。よって，刊行物２発明の前記特定事項と，本願発明の「血液もしくは血液製剤からなる被処理液体中のウイルスを不活化するウイルス不活化システム」とは，「被処理液体中のウイルスを不活化するウイルス不活化システム」という点で共通する。
　
（５）　本願発明と刊行物２発明の対比についての小括
　そうすると，本願発明と刊行物２発明は，次の技術的事項において一致すると認められる。
「光触媒が表面に保持された材料を備え，前記光触媒に光を照射する光照射装置とを有し，前記被処理液体を光触媒が表面に保持された材料に接触させた状態で，前記光照射装置によって，前記光触媒に光を照射するウイルス不活性化装置」
　
２　動機について
　刊行物２には，摘示（刊２−１）に記載の特許請求の範囲からも明らかなように，「被処理体」について具体的な特定はなく，刊行物２発明は，あらゆる被処理体に適用し得る一般的な発明であるということができる。
　これを裏付けるように，摘示（刊２−５）に「【発明の属する技術分野】この発明は被処理体処理装置に関し，さらに詳細にいえば，光触媒を用いて被処理体を浄化する被処理体処理装置に関する。」と記載されているように，特段，被処理体の種類に対しては，何らの限定もおいておらず，刊行物２の他の記載事項を精査しても，被処理体の種類に関する記述はない。
　もっとも，刊行物２には，【０００２】〜【０００５】に従来技術として文献が提示されており，これら文献の内容に関する簡単な言及が為されている。しかし，これは従来技術に関する言及であって，これら従来技術の文献に記載の被処理体に限定して刊行物２発明を解釈する特段の事情もない。
　そうすると，刊行物２には，被処理体を限定していない一般的な被処理体処理装置に係る技術的事項が記載されていると解することができることは明白である。
　一般的な発明を様々な技術分野の発明に適用することは至極普通に行われていることであるし，しかも，引用発明と刊行物２発明は，共にウイルス不活性化を目的とすることにおいて共通の課題を有するものであるから，引用発明に刊行物２発明を適用しようとする充分な動機があるということができる。
　
３　まとめ
　以上のことから，引用発明において，引用発明の「ランプ（２３）から血液層（２９）に紫外線が照射され，ウイルスや，ウイルスを含む病的白血球が不活性化」させるウイルス不活性化装置に代えて，刊行物２発明のウイルス不活性化装置を採用し，その結果，引用発明の『「ウイルスや，ウイルスを含む病的白血球が不活性化」する「ランプ（２３）から血液層（２９）に紫外線が照射され」た後』（上記「第５　６（相違点）参照。）という特定事項が，刊行物２発明のウイルス不活性化装置に置換されることで，ウイルス不活性化装置において紫外線が照射された後となり，「ポンプ（１８）と返血側血液輸送チューブ（１６）を経て，体内にもどされる」べく構成されるものとなって，本願発明のごとく構成されたものにすぎず，本願発明は，当業者が特段の創作力を要することなく引用発明及び刊行物２発明に基づいて発明できたものである。
　
４　本願発明の効果について
　本願発明の効果について，本願明細書の記載によると，
「本発明のウイルス不活化システムは，血液入り口と出口との間に血液処理部を設け，該血液処理部に光触媒機能を有する化合物を担体表面に保持し，該血漿処理装置で血液など被処理液体を光照射処理することを特徴とするため，加熱や薬剤添加などの必要が無く，血中蛋白質の熱変性の危険が少なく，血液に対する薬剤による影響が無くウイルスを不活化することができる。」（段落【００３２】）
であるところ，この効果は，刊行物２の摘示（刊２−４）に「ウイルス菌の不活化を達成することができる」と記載されているように，光触媒を利用した場合に奏される当然の効果である。
　また，【００２２】に「本システムを透析装置に組込み，透析中のエンドトキシン等を分解除去することもできる。」との効果については，刊行物２の摘示（刊２−４）に「光触媒１０に十分な光を照射して光触媒作用を発揮させ，酸化，還元作用を行わせることができる。・・・（略）・・・図４は貯槽１に大腸菌を入れ，光源６の照射時間に伴う大腸菌の減少の程度を観察した結果を示す図，図５は貯槽１に有機物フミンを入れ，光源６の照射時間に伴う有機物フミンの減少の程度を観察した結果を示す図である。」と記載されており，光触媒による酸化，還元作用に言及すると共に，分解実験物質として添加した有機物フミンという物質の減少，すなわち，分解を確認しているのであるから，引用発明に刊行物２発明を適用した場合，血液中のエンドトキシンも分解されるであろうことは当業者が予測し得ることといえる。
　以上のように，本願発明は，刊行物１及び２に記載された事項から予測されるところを超えて優れているとはいえない。
　
第７　結語
　したがって，本願発明は，刊行物１及び刊行物２に記載された発明に基づいて当業者が容易に発明をすることができたものであるから，特許法第２９条第２項の規定により特許を受けることができず，他の請求項に係る発明について検討するまでもなく拒絶すべきものである。
　よって，結論のとおり審決する。